(57)【特許請求の範囲】
【請求項１】
抗菌性を有する金属イオンを水に添加して金属イオン水を生成する金属イオン水生成手段と、水を霧化する霧化手段とを備えたミスト噴霧装置であって、
前記金属イオン水または前記水を前記霧化手段により霧化してミストとし、人体に向けてミストを所定期間噴霧する運転モードを有し、
前記運転モードでは、人体に金属イオンを付着させるために前記所定期間の後期に噴霧されるミストに含まれる金属イオン水の金属イオン濃度を前期よりも高くしたことを特徴とするミスト噴霧装置。
【請求項２】
前記所定期間の後期に噴霧されるミストにのみ金属イオンが含まれることを特徴とする請求項１に記載のミスト噴霧装置。
【請求項３】
人の存在を感知する人感センサーの検知によりミストの噴霧方向を変更できる霧化ノズルを備えたことを特徴する請求項１または請求項２に記載のミスト噴霧装置。
【請求項４】
請求項１乃至請求項３のいずれか１項に記載のミスト噴霧装置を備えたことを特徴とする部屋。
【発明の詳細な説明】
【技術分野】
【０００１】
本発明は、人体が存在する方向にミストを噴霧させることができるミスト噴霧装置及びそれを備えた部屋に関する。
【背景技術】
【０００２】
近年、人体を清潔に保つため、人体を洗浄するための装置として、様々の機器が考案されている。
【０００３】
例えば、実開平７−１７３９１号公報（特許文献１）では、人体洗浄装置として便器に取り付ける銀イオン電解装置付局部洗浄装置が記載されている。この銀イオン電解装置付局部洗浄装置は、銀イオン水により、局部の洗浄を行うものである。
【０００４】
例えば、特開２００４−２０８７４８号公報（特許文献２）では、人体洗浄装置として銀イオンを使用した下肢水浴装置が記載されている。この下肢水浴装置は、足指や足指間の汚れや雑菌の除去を行うものである。
【０００５】
例えば、特開２００４−１６０１３０号公報（特許文献３）では、霧化器により、消臭液や除菌作用などがある浄化霧を直接身体や頭髪に噴霧して、身体を浄化する方法が記載されている。
【０００６】
また、人体を洗浄するものではないが、特表２００４−５２４８７５号公報（特許文献４）では、銀イオン水を霧化して空気中に噴霧し、その空気を加湿及び殺菌する加湿方法と加湿装置が記載されている。
【特許文献１】実開平７−１７３９１号公報
【特許文献２】特開２００４−２０８７４８号公報
【特許文献３】特開２００４−１６０１３０号公報
【特許文献４】特開２００４−５２４８７５号公報
【発明の開示】
【発明が解決しようとする課題】
【０００７】
しかしながら、実開平７−１７３９１号公報（特許文献１）や、特開２００４−２０８７４８号公報（特許文献２）による人体洗浄装置では、局部や足など人体の一部分にしか銀イオンを付着させることができないため、人体の一部分しか抗菌することができなかった。また、銀イオンを付着させる工程の最中に、歩いて移動したりすることができなかった。
【０００８】
また、特開２００４−１６０１３０号公報（特許文献３）による身体を浄化する方法では、除菌液などの浄化液を噴霧ホルダーに設けられている噴霧口から噴出させるが、この噴霧ホルダーをユーザーが自ら操作して、自分の身体に噴霧する必要があった。
【０００９】
特表２００４−５２４８７５号公報（特許文献４）にある加湿方法や加湿装置では、空気を加湿し、殺菌することはできるが、人体表面や部屋の内壁や床、天井などに銀イオンを付着させて、抗菌・殺菌を行うことまでは想定されていない。
【００１０】
本発明は上記の点を鑑みてなされたものであり、その目的とするところは、自らミストを身体に噴霧する動作を行うことなく、人体のなるべく広い範囲に抗菌性のある金属イオンを付着させるミスト噴霧装置及びそれを備えた部屋を提供することである。
【課題を解決するための手段】
【００１１】
本発明のミスト噴霧装置は、抗菌性を有する金属イオンを水に添加して金属イオン水を生成する金属イオン水生成手段と、水を霧化する霧化手段とを備えたミスト噴霧装置であって、前記金属イオン水または前記水を前記霧化手段により霧化してミストとし、人体に向けてミストを所定期間噴霧する運転モードを有し、前記運転モードでは、人体に金属イオンを付着させるために前記所定期間の後期に噴霧されるミストに含まれる金属イオン水の金属イオン濃度を前期よりも高くしたことを特徴とする。
【００１２】
この構成によると、抗菌性を有する金属イオン水を霧化してミスト状にし、人体が存在する方向に噴霧するので、ミストが人体の広い範囲に付着し、人体を抗菌することができる。また、濃度の高い金属イオン水が付着するので、金属イオンの付着が少ない部分の金属付着量を補うことができる。
【００１５】
本発明のミスト噴霧装置においては、前記所定期間の後期に噴霧されるミストにのみ金属イオンが含まれることが好ましい。
【００１６】
このような構成にすれば、人体に銀イオンを付着させることができるとともに、常に金属イオン水を噴霧する場合に比べ、金属イオンの消費を抑えることができる。
【００２１】
本発明のミスト噴霧装置においては、人の存在を感知する人感センサーの検知によりミストの噴霧方向を変更できる霧化ノズルを備えることが好ましい。
【００２２】
このような構成にすれば、人が存在する方向に金属イオン水を噴霧することができるので、人が存在する場所によっては金属イオン水の噴霧が行われないという可能性を低減することができる。
【００２７】
この発明に従った部屋は、上述した構成を有するミスト噴霧装置を備える。
【００２８】
この発明の部屋によれば、ミスト噴霧装置から噴霧された抗菌性を有する金属イオン水により人体だけでなく、部屋の内壁や天井及び床面、部屋内に置かれている椅子などに抗菌性を有する金属イオンを付着させることができ、カビやヌメリの発生を防止することができる。特に、部屋の隅や、排水口などの水が残りやすいところでもカビやヌメリの発生を防止することができる。
【発明の効果】
【００３７】
この発明によれば、抗菌性を有する金属イオン水を霧化してミスト状にし、人体の存在する方向に噴霧することにより人体の広い範囲に銀イオンを付着させることができる。また、ミスト噴霧装置を備えた部屋の場合には、部屋の内壁や天井及び床面、部屋内に置かれている椅子などに抗菌性を有する金属イオンを付着させることができ、金属イオンが付着した部分において、カビやヌメリの発生を防止することができる。
【発明を実施するための最良の形態】
【００３８】
本発明のミスト噴霧方法、並びにミスト噴霧装置及びそれを備えた部屋の実施の形態を図に従って説明する。
【００３９】
本発明のミスト噴霧方法を実施するためのミスト噴霧装置及びそれを備えた部屋の第１の実施の形態を図１に従って説明する。図１は、本発明のミスト噴霧装置を備えた部屋の概略斜視図である。なお、第１の実施の形態では、ミスト噴霧装置としてミストサウナ装置を、部屋としてサウナ室を例として用いている。図１に示すようにサウナ室１００の内部には、ミストサウナ装置１、腰掛部１０１などが配設されている。ミストサウナ装置１は、サウナ室１００の上方の壁面１２に設置されている。なお、ここでは、サウナ室１００の天面や床面、側面など全てをまとめて壁面１２と呼ぶこととする。
【００４０】
図２は壁面１２に設置された状態のミストサウナ装置１の概略断面図である。図２に示すように、ミストサウナ装置１は、筐体１ａの内部に金属イオン水生成手段である銀イオン溶出ユニット２と、三方弁３と、給水弁４と、水温を測定する温度センサー５と、加熱手段であるヒーター６と、銀イオン溶出ユニット２と三方弁３と給水弁４と温度センサー５とヒーター６とを制御する制御部７と、散水管９と霧化ノズル１１と、人の存在を感知する手段として人感センサー１３とを備えており、また、筐体１ａの外部にその一部が突出している導水管８と排水管１０とを備えている。この霧化ノズル１１は駆動用モーター（図示せず）により、そのノズルの方向を変更することができるようになっている。この方向変更機構としては、例えば、ドアホンなどのカメラの方向変更に用いられる既知のパンチルト機構などを用いればよいので詳細は説明しない。また、人感センサー１３としては、例えば、特開平１−１１０２８２号公報に記載されている赤外線検出装置や、特開平１−２７７７９６号公報に記載されている光学的物体検出装置を用いることにより、人が存在する方向（位置）を検知することができる。もちろん、CCDなどを用いて映像的に人の存在する方向（位置）を確認する手段を用いても良い。なお、人感センサー１３と駆動用モーターとは、制御部７により制御される。
【００４１】
導水管８は、筐体１ａの内部にてその一端が三方弁３に連結されており、他の一端は筐体１ａの外部にある例えば給水管である水道管（図示せず）に連結されている。また、筐体１ａ内の導水管８には三方弁３側から外部側（水道管側）に向かって、給水弁４、温度センサー５、ヒーター６がこの順番に配設されている。すなわち、水道管から導水管８に導かれた水は、ヒーター６、温度センサー５、給水弁４をこの順番に通って三方弁３に到達することになる。ヒーター６は、導水管８を流れる水を加熱するものであり、温度センサー５は水道管から導水管８に導かれる水の温度を測定する。また、給水弁４が開くと水道管から導水管８内に水が流れ込み、閉じると水が止まる仕組みになっている。
【００４２】
排水管１０は、筐体１ａの内部にてその一端が三方弁３に連結されており、他の一端は筐体１ａの外部にある例えば下水管（図示せず）に連結されている。
【００４３】
散水管９はその一端が三方弁３に連結され、他の一端は霧化ノズル１１に連結されている。この散水管９は、霧化ノズル１１のノズル方向を変更できるようにするために、フレキシブルな構造のホースなどを用いることが好ましい。あるいは、霧化ノズル１１と散水管９の連結に蛇腹ホースなどを用いてもよい。なお、散水管９の途中に銀イオン溶出ユニット２が配設されている。
【００４４】
三方弁３は、導水管８から流れてくる水を、散水管９あるいは排水管１０のどちらかに導くものである。散水管９に導く場合、水は霧化ノズル１１を経て、サウナ室１００内にミストとして散布される。また、排水管１０に導く場合、水は下水管に排水される。
【００４５】
なお、導水管８は水道管ではなく、外部に設置されている給湯設備（例えば、給湯器やボイラー等）の給湯管に連結し、水ではなく、お湯を導水管８内に導くようにしてもよい。この場合、温度が高い水であるお湯がミストサウナ装置１に供給されることになるので、加熱手段（本実施形態ではヒーター６）を設けなくてもよい。ただし、加熱手段をあえて設けることにより、例えば次のような利点がある。外部（屋外）に設置されている給湯設備から配管を通って導水管８に導かれる水は、すぐに所望の水温（人が冷たさを感じない温度、例えば３０℃から４５℃の間の温度）が得られないことがあり、このような場合に加熱手段（本実施形態ではヒーター６）により水温を上げることができるので、加熱手段を設けない場合に比べ、ミストを噴霧するまでの時間を短縮することができる。
【００４６】
図３は銀イオン溶出ユニット２の概略断面図である。図３（Ａ）は水平概略断面図、図３（Ｂ）は垂直概略断面図である。図３（Ａ）、図３（Ｂ）に示すように、銀イオン溶出ユニット２は合成樹脂などの絶縁材料から形成されるケース２１を有し、ケース２１の内部には、例えば、大きさ２０ｍｍ×５０ｍｍ、厚さ１ｍｍ程度の金属電極である板状の銀電極２２ａ、２２ｂが約５ｍｍの距離を隔ててほぼ平行となるように配設されている。また、銀電極２２ａ、２２ｂにはそれぞれ接続端子２３ａ、２３ｂが一体に形成されている。接続端子２３ａ、２３ｂは例えば、配線（図示せず）により制御部７に接続されている。ケース２１には、水が流入する流入口２４、水が流出する流出口２５が設けられており、流入口２４からからケース内に水が流入し、流出口２５から水がケース外に流出することができる。すなわち、銀電極２２ａ、２２ｂの長手方向と平行に水が流れることになる。
【００４７】
銀電極２２ａ、２２ｂが水中に浸かり水が流れている状態で、制御部７により銀電極２２ａ、２２ｂ間に電圧が印加されると、陽極側の銀電極において、Ａｇ→Ａｇ+＋ｅ-の反応が起こり、水中に銀イオン（Ａｇ+）が溶出する。銀イオン（Ａｇ+）が溶出しつづければ陽極側の銀電極は減耗していく。銀電極２２ａまたは２２ｂから溶出する銀イオンは、優れた殺菌効果及び防カビ効果を発揮する。従って、銀イオン水は、抗菌性を有する抗菌水として作用する。なお、ここでいう抗菌または殺菌とは、細菌や真菌を殺菌、抗菌することだけでなく、ウイルスを不活化することも含む。また、銀イオンによりウイルスが不活化されることは、「銀イオン水  Ｌ．Ａ．クリスキー著  新日本鋳鍛造協会（出版会）  １９９３年」に記載されている。
【００４８】
他方陰極側の銀電極では、Ｈ+＋ｅ-→１／２Ｈ2の反応が生じ、水素が発生するとともに、水中に含まれるカルシウムなどが炭酸カルシウムなどのカルシウム化合物のスケールとして銀電極の表面に析出する。
【００４９】
また電極の成分金属である銀の塩化物及び硫化物が表面に発生する。従って、使用が長期にわたると、炭酸カルシウムや塩化物や硫化物などのスケールが電極表面に厚く堆積し、金属イオンである銀イオンの溶出を妨げる。このため、銀イオンの溶出量が不安定になったり、電極の減耗が不均一になったりする。そこで、制御部７は、銀イオン溶出ユニット２の銀電極２２ａ、２２ｂ間の印加電圧の極性反転を周期的（例えば２０秒毎）に行うことにより、銀電極２２ａ、２２ｂへのスケールの付着および、一方の銀電極のみが消耗してしまうことを防いでいる。
【００５０】
なお、金属電極としては、銀電極以外にも、抗菌性を有する金属イオンを溶出可能な金属であれば良く、具体的には、銅、銀と銅との合金、亜鉛などが選択可能である。銀電極から溶出する銀イオン、銅電極から溶出する銅イオン、または亜鉛電極から溶出する亜鉛イオンは、優れた殺菌効果及び防カビ効果を発揮する。銀と銅との合金からは銀イオンと銅イオンとを同時に溶出させることができる。また、陽極が金属イオンを溶出する電極で、陰極が金属イオンを溶出しない電極であっても良い。電極形態が２枚以上（複数）の電極から構成される場合は、すべて同じ材質の金属電極であっても良いし、いずれかが金属電極で、他の電極が非金属電極（例えば、炭素電極、導電性プラスチック電極など）であっても良く、メッキの電極であっても良い。さらには、イオン化しにくい金属電極（例えば、チタン電極、貴金属である白金電極，金電極など）であっても良い。あるいは、材質の異なる複数の金属電極（例えば、銀電極と銅電極など）から構成されていても良い。
【００５１】
銀イオンの溶出は、電流値を一定として、電圧の印加時間を調節するいわゆる定電流制御により行う。銀イオン水の銀イオン濃度は、電極間を流れる電気量と水の量などで制御できる。例えば、上記のような構造の銀イオン溶出ユニット２の場合、９０ｐｐｂの銀イオン水を得るには、水の量が１Ｌ／ｍｉｎ、電流値３ｍＡにすればよい。また、６００ｐｐｂの銀イオン水を得るには、水の量が１Ｌ／ｍｉｎ、電流値１０ｍＡにすればよい。なお、銀イオンの溶出量は、低電流域を除いて、電気量（Ｃ）＝一定電流値（Ａ）×時間（ｓｅｃ）に概ね比例する。また、水量が一定であれば、電気量と得られる銀イオン水の銀濃度には相関があるため、電流値を調節することで、所望濃度の銀イオン水を得ることができる。このように、銀電極２２ａ、２２ｂに所定電流を一定流量の水に流すことで所望の銀イオン濃度を得ることができる。また、給水弁や霧化ノズルなどの構造により、流量はほぼ固定できるため、一定電流を流すことにより、ほぼ一定の銀イオン水を生成することができる。なお、様々な濃度の銀イオン水を得ることができるように、電流値と時間の組合せを、実験により予め求めておくことが好ましい。
【００５２】
なお、これら銀イオン、銅イオン、亜鉛イオンは、人体に対して刺激性がなく、毒性も低い。そのため、人がミストに触れても大丈夫なので、人に対しても使用することができる。さらに、金属イオンやその化合物は揮発しにくいため、次亜塩素酸などのように、温度を上げたり、換気を行なったりすることで揮発が促進されて、効果が失われたり、不快な臭気が発生したりすることもない。
【００５３】
また、上記した銀イオン溶出ユニット２のような形態の金属イオン水生成手段においては、電圧の印加の有無で金属イオンである銀イオンの溶出／非溶出を選択でき、また、上述したように電流や電圧印加時間を制御することにより銀イオンの溶出量を制御できる。従って、例えばゼオライトなどの金属イオン担持体から金属イオンを溶出させる方式に比べ、金属イオンを投入するかどうかの選択や金属イオンの濃度の調節をすべて電気的に行えるので使い勝手がよくなる。
【００５４】
続いて、ミストサウナ装置１のミスト噴霧開始動作について説明する。図４はミストサウナ装置の第１噴霧動作開始ルーチンを示すフローチャートである。なお、この動作は制御部７に設けられているマイコン（図示せず）により制御される。
【００５５】
Ｓ１００から第１噴霧動作開始ルーチンが開始され、S１０１に進む。S１０１にて、温度センサー５により、導水管８内の水温が所定温度（人が冷たさを感じない温度、例えば３０℃から４５℃の間。本実施形態では４５℃とする）以上であるかを確認する。水温が所定温度未満であれば（Ｎｏであれば）、後述するＳ１０６に移行する。水温が所定温度以上であれば（Ｙｅｓであれば）、Ｓ１０２に移行する。Ｓ１０２にて三方弁３を散水管９側に切り替え、Ｓ１０３に移行する。
【００５６】
Ｓ１０３にて給水弁４を開き、Ｓ１０４に移行する。この時点で、導水管８内の水（お湯）は散水管９に導かれることになる。Ｓ１０４にて、銀イオン溶出ユニット２の銀電極２２ａ、２２ｂに通電を開始する。この時点で、散水管９内の水（お湯）に銀イオンが添加されることになり、銀イオン水が生成される。この銀イオン水は散水管９を通り、霧化ノズル１１にてミスト化され、サウナ室１００内に放出される。このとき、人感センサー１３により人の存在する方向（位置）が検知されていれば、制御部７は駆動用モーター（図示せず）を駆動させて霧化ノズル１１を人が存在する方向に向ける。このとき、複数の位置で人の存在が検知されていれば、霧化ノズル１１をスイングさせる、あるいは一定時間毎（例えば３０秒毎）に霧化ノズル１１の方向をそれぞれの人体が存在する方向（位置）に順次変更するようにすればよい。また、このとき、人の存在が検知されていなければ、霧化ノズル１１の方向は、変更しても、変更しなくても良いし、スイングさせても良い。その後、Ｓ１０５に移行する。Ｓ１０５にて第１噴霧動作開始ルーチンから抜ける。
【００５７】
また、Ｓ１０１にて、水温が所定温度未満であれば（Ｎｏであれば）、Ｓ１０６に移行する。Ｓ１０６にて加熱手段であるヒーター６に通電し、Ｓ１０７に移行する。Ｓ１０７にて三方弁３を排水管１０側に切り替え、Ｓ１０８に移行する。Ｓ１０８にて給水弁４を開き、Ｓ１０９に移行する。この時点で導水管８内の水（お湯）は排水管１０に導かれることになる。
【００５８】
Ｓ１０９にて、水温が所定温度付近となるように、ヒーター６の通電量や、給水弁４の開度の調整による水量調整を行いつつ、水温を確認する。水温が所定温度（本実施形態では４５℃）未満であれば（Ｎｏであれば）、Ｓ１０９に戻る。水温が所定温度以上であれば（Ｙｅｓであれば）、Ｓ１１０に移行する。Ｓ１１０にて三方弁３を散水管９側に切り替え、Ｓ１０４に移行する。この時点で、導水管８内の水（お湯）は散水管９に導かれることになる。
【００５９】
Ｓ１０４にて、銀イオン溶出ユニット２の銀電極２２ａ、２２ｂに通電を開始する。この時点で、散水管９内の水（お湯）に銀イオンが添加されることになり、銀イオン水が生成される。この銀イオン水は散水管９を通り、霧化ノズル１１にてミスト化され、サウナ室１００内に放出される。このとき、人感センサー１３により人の存在する方向（位置）が検知されていれば、制御部７は駆動用モーター（図示せず）を駆動させて霧化ノズル１１を人が存在する方向に向ける。このとき、複数の位置で人の存在が検知されていれば、霧化ノズル１１をスイングさせる、あるいは一定時間毎（例えば３０秒毎）に霧化ノズル１１の方向をそれぞれの人体が存在する方向（位置）に順次変更するようにすればよい。また、このとき、人の存在が検知されていなければ、霧化ノズル１１の方向は、変更しても、変更しなくても良いし、スイングさせても良い。その後、Ｓ１０５に移行する。Ｓ１０５にて噴霧動作開始ルーチンから抜ける。
【００６０】
このように、サウナ室１００内に放出された銀イオン水ミストは、サウナ室１００内の壁面１２や、サウナ室１００内に備えられている腰掛部１０１や洗面器などに付着し、銀イオンの持つ抗菌性・抗カビ性・殺菌性により、壁面１２や腰掛部１０１や洗面器などが抗菌されることになる。
【００６１】
なお、ミストを維持するためには、多量の水を使用する必要がある。例えば、室内温度が４０℃、容積が１０ｍ3の室内を相対湿度１００％にするためには５５０ｍＬの水が必要であり、ミストを空気中に存在させるには、５５０ｍＬ以上の水が必要となる。すなわち、サウナ室１００として利用するには、ミストを維持しなければならず、連続して水を供給する必要がある。そこで、ミストサウナ装置を、給水管か給湯管のうち少なくとも一方に接続する（本実施形態では給水管である水道管に接続している）ことによって、給水弁４の制御により給水量を制御する構成となっている。
【００６２】
このようにすることで、多量の水を貯えることができる大きなタンクを備える必要が無くなる。また、水温を調節する（加熱する）場合でも、配管を通過する水を加熱して水温調節を行なえばよいので、要求される加熱手段の能力（例えば、ヒーターの場合は出力（Ｗ）、ガスの場合はカロリー（kcal））は、タンクに貯えられている多量の水全てを温度調整する場合に必要な能力に比べて、小さくすることができる。
【００６３】
なお、霧化ノズル１１に換えて、超音波振動子やベンチュリー効果によって銀イオン水を霧化してもよい。この場合、霧化されたミストの噴出し方向の変更方法としては、例えば、空気調和機の室内機によく用いられる、縦ルーバーと横ルーバーによる既知の吹出し方向変更機構を用いればよい。
【００６４】
続いて、銀イオンを用いた抗菌効果について表１、表２を用いて説明する。
【００６５】
表１は、「防菌防黴ｖｏｌ．２２，Ｎｏ．９，ｐｐ．５３１−５３６，１９９４」からの引用であり、「大腸菌（Ｅ．ｃｏｌｉ）に対する銀イオンの抗菌効果」を示す表である。表２は、実際に本発明者が試験を実施した「クラドスポリウム（Ｃｌａｄｏｓｐｏｒｉｕｍ  ｃｌａｄｏｓｐｏｒｉｏｉｄｅｓ）に対する銀イオンの抗菌効果」を示す表である。試験方法は、いずれも、銀イオン水と菌液とを接触させ、初期菌数と２４時間後の菌数を比較したものである。試験菌種としては、サウナ室１００内や浴室内に存在する微生物である、大腸菌（Ｅ．ｃｏｌｉ）と、クロカビとして知られるクラドスポリウム（Ｃｌａｄｏｓｐｏｒｉｕｍ  ｃｌａｄｏｓｐｏｒｉｏｉｄｅｓ）を用いている。なお、表1の「０ｐｐｂとの対数値差」とは、２４時間後の０ｐｐｂの菌数と２４時間後の１０ｐｐｂの菌数との対数値差、２４時間後の０ｐｐｂの菌数と２４時間後の１００ｐｐｂの菌数との対数値差を表しており、表２の「０ｐｐｂとの対数値差」とは、２４時間後の０ｐｐｂの菌数と２４時間後の９０ｐｐｂの菌数との対数値差、２４時間後の０ｐｐｂの菌数と２４時間後の６００ｐｐｂの菌数との対数値差を表している。
【００６６】
表１、表２に記載するように、どちらの菌に対しても効果があった。また、銀イオンの濃度が高いほど抗菌効果が高いことがわかる。
【００６７】
【表１】
0004508988.tif 000002
【００６８】
【表２】
0004508988.tif 000003
【００６９】
続いて、銀イオンを用いた人体にいる菌に対する抗菌効果について表３、表４を用いて説明する。
【００７０】
表３、表４とも、実際に本発明者が試験を実施したものであり、表３は「カンジダ（Ｃａｎｄｉｄａ  ａｌｂｉｃａｎｓ）に対する銀イオンの抗菌効果」を示す表であり、表４は「白癬菌（Ｔｒｉｃｈｏｐｈｙｔｏｎ  ｍｅｎｔａｇｒｏｐｈｙｔｅｓ）に対する銀イオンの抗菌効果」を示す表である。試験方法は、いずれも、銀イオン水と菌液とを接触させ、初期菌数と所定時間後の菌数を比較したものである。試験菌種としては、人体の皮膚などに繁殖して、害を及ぼすことがある菌を使用した。なお、表３の「０ｐｐｂとの対数値差」とは、１０分後の０ｐｐｂの菌数と１０分後の９０ｐｐｂの菌数との対数値差、１０分後の０ｐｐｂの菌数と１０分後の６００ｐｐｂの菌数との対数値差を表しており、表４の「０ｐｐｂとの対数値差」とは、２４時間後の０ｐｐｂの菌数と２４時間後の９０ｐｐｂの菌数との対数値差、２４時間後の０ｐｐｂの菌数と２４時間後の６００ｐｐｂの菌数との対数値差を表している。
【００７１】
表３、表４に記載するように、どちらの菌に対しても効果があった。また、銀イオンの濃度が高いほど抗菌効果が高いことがわかる。
【００７２】
【表３】
0004508988.tif 000004
【００７３】
【表４】
0004508988.tif 000005
【００７４】
なお、サウナ室１００内にミストサウナ装置１から噴霧するミストの温度としては、人が冷たさを感じないようにするため、３０〜４５℃が好ましい。この温度は、本来微生物の繁殖に適した温度であり、サウナ室１００内に菌の繁殖をもたらす恐れがあるが、抗菌効果がある金属イオンを含む本発明のミストであれば、そのようなことはない。また、金属イオン水として銀イオン水を用いた場合、銀イオン水の水温が高くなる程、細菌の銀に対する耐性が低下することが知られている。このことは公知であり、「銀イオン水  Ｌ．Ａ．クリスキー著  新日本鋳鍛造協会（出版会）  １９９３年」に記載されている。
【００７５】
このように、ミスト噴霧装置であるミストサウナ装置１を用いれば、銀イオン水（抗菌性を有する金属イオンを含む金属イオン水）を霧化し、人感センサー１３により人が存在する方向（位置）を検知すると、サウナ室１００内の人が存在する方向（位置）に自動的に霧化ノズル１１を向けて、銀イオン水ミストを噴霧するので、人体周辺にミストを集中させることができ、人体表面の幅広い範囲（頭、首、腕、胸、腹、背中、臀部、足などミストにさらされている部分）にミストを付着させ易くなる。また、人はサウナ室１００内を自由に動き回ることができ、一箇所に留まる必要がなく、サウナを楽しみながら、人体表面の広い範囲を抗菌することができる。
【００７６】
さらに、サウナ室１００内の壁面１２、サウナ室１００内に置かれている洗面器、椅子等を銀イオン水にてコーティングすることができる。ここでコーティングとは、サウナ室１００内の壁面１２やサウナ室１００内に置かれている洗面器などの表面の一部または全部に銀イオンミストを付着させることをいう。このように、付着した銀イオンミストは、乾燥した後も、銀化合物として残り、抗菌作用をもたらす。また、排水溝や排水口にも銀イオン水を付着させることができる。
【００７７】
さらに、人の存在が検知されていないときに、霧化ノズル１１の方向を、霧化ノズル１１の動作可能範囲の中間点付近に変更する、あるいは、部屋の中心付近に噴霧できる位置に変更する、または、ランダムに変更する、または、スイングさせる、などのようにすれば、サウナ室１００内に満遍なく銀イオンミストを噴霧することができる。
【００７８】
また、サウナ室１００内や浴室などは、室内壁面１２（天面、底面など）などの広い範囲にわたって水に触れることになる。天井や壁の高い部分などは、清掃を行うのが大変であり、銀イオンミストを付着させることで、天井や壁の高い部分におけるカビの繁殖やヌメリの発生を低減することができる。特に、ミストサウナである場合には、水に触れる部分は、室内全域に及ぶ。このような条件では、水が長期間にわたって残留しやすく、このような場所には菌の繁殖によるヌメリや臭気が発生したり、カビが発生したりしやすい。しかし、ミストに銀イオン水（抗菌性を有する金属イオンを含む金属イオン水）を用いることによって、銀イオンの抗菌・防カビ作用によって、水が残留しても、ヌメリやカビなどを防ぐことができる。
【００７９】
なお、本実施形態においては、Ｓ１０４にて、銀イオン溶出ユニット２の銀電極２２ａ、２２ｂに通電し、散水管９内の水（お湯）に銀イオンが添加され、銀イオン水が生成されるようになっているが、人感センサー１３により、サウナ室１００内に人が存在するかどうかを検知し、人がサウナ室１００内にいる場合には、銀イオン水を生成し、銀イオン水をミスト化して噴霧し、人がいない場合には、ミストを噴霧しないようにしてもよい。あるいは、人がサウナ室１００内にいる場合には、銀イオン水を生成し、銀イオン水をミスト化して噴霧し、人がいない場合には、銀イオンを含まないミストを噴霧するようにしてもよい。このようにすれば、人体に銀イオンを付着させることができるとともに、常に金属イオン水を噴霧する場合に比べ、金属イオンの消費を抑えることができ、銀電極２２ａ、２２ｂの消耗を抑えることができる。
【００８０】
また、サウナ室１００に暖房装置を設けておいても良い。
【００８１】
さらに、本実施形態ではミスト噴霧装置であるミストサウナ装置１を備える部屋としてサウナ室１００を用いて説明を行ったが、部屋はサウナ専用室でなくてもよく、例えば浴室などにミストサウナ装置１を備えてもよい。また、サウナ室や浴室は、業務用であってもよいし、家庭用であってもよい。さらに、天井付近に取り付けるタイプではなく、床面に据え置くタイプの装置であってもよい。
【００８２】
さらにまた、「人が存在する方向」とは、おそらく人が存在するであろうと思われる方向も含む。例えば、サウナ室や浴室内で人が存在するであろうと考えられる方向（腰掛部１０１や、体を洗う洗い場などが設置されている方向など。この方向はユーザーが設定し、設定データが制御部７に記憶されるようにしておけばよい。また、構造上、腰掛部１０１や洗い場などのユーザーがいる場所が限定できる場合には、予めその方向に向けて設置しておいてもよい。）にミストを噴霧する。あるいは、直接人に向けて噴霧するのではなく、前述した人が存在するであろうと思われる方向に向けてほぼ水平方向に噴霧し、ミストを重力により自然落下させてもよい。このようにすることで、人感センサー１３を付ける必要がなく、コストダウンにつながる。
【００８３】
次に、本発明のミスト噴霧装置及びそれを備えた部屋の第２の実施の形態として、ミスト噴霧装置であるミストサウナ装置１の他のミスト噴霧開始動作について説明する。第２の実施の形態において、前述の実施の形態について説明した構成部分と同じ部分については同一符号を付し、その説明を省略する。第２の実施の形態においては、ミストサウナ装置１は、第１の一定期間運転モードを有する。第１の一定期間運転モードとは、例えば、一定期間の間のみミストサウナ装置１を動作させてミストを噴霧させるが、この一定期間のうち、噴霧を終了する前の最後の所定時間（以後、第１運転時間と呼ぶ）の間だけ、金属イオンを含むミストを噴霧し、それ以外は金属イオンを含まないミストを噴霧するモードである。この一定期間（例えば３０分間、６０分間など）と、所定時間である第１運転時間（最後の１５分、最後の２０分など）は固定であっても良いし、ユーザーが任意に決定できるようにしても良い。なお、第１運転時間と一定期間との関係は、「第１運転時間≦一定期間」とする。
【００８４】
図５は、ミストサウナ装置の第１の一定期間運転モードのルーチンを示すフローチャート、図６は、ミストサウナ装置の第２噴霧動作開始ルーチンを示すフローチャートである。
【００８５】
図５のＳ２００から第１の一定期間運転モードのルーチンが開始され、次のステップに進む。Ｓ２００の次ステップはＳ３００である。Ｓ３００は図６に示すフローチャートをもつルーチンである。Ｓ３００から第２噴霧動作開始ルーチンが始まり、Ｓ３０１に進む。S３０１にて、温度センサー５により、導水管８内の水温が所定温度（人が冷たさを感じない温度、例えば３０℃から４５℃の間。本実施形態では４５℃とする）以上であるかを確認する。水温が所定温度未満であれば（Ｎｏであれば）、後述するＳ３０５に移行する。水温が所定温度以上であれば（Ｙｅｓであれば）、Ｓ３０２に移行する。Ｓ３０２にて三方弁３を散水管９側に切り替え、Ｓ３０３に移行する。
【００８６】
Ｓ３０３にて給水弁４を開き、Ｓ３０４に移行する。この時点で、導水管８内の水（お湯）は散水管９に導かれ、散水管９を通り、霧化ノズル１１にてミスト化され、サウナ室１００内に噴霧される。Ｓ３０４にて噴霧動作開始ルーチン２から抜けて図５のＳ２０１に進む。
【００８７】
また、Ｓ３０１にて、水温が所定温度未満であれば（Ｎｏであれば）、Ｓ３０５に移行する。Ｓ３０５にて加熱手段であるヒーター６に通電し、Ｓ３０６に移行する。Ｓ３０６にて三方弁３を排水管１０側に切り替え、Ｓ３０７に移行する。Ｓ３０７にて給水弁４を開き、Ｓ３０８に移行する。この時点で導水管８内の水（お湯）は排水管１０に導かれることになる。
【００８８】
Ｓ３０８にて水温が所定温度（本実施形態では４５℃）未満であれば（Ｎｏであれば）、Ｓ３０８に戻る。水温が所定温度以上であれば（Ｙｅｓであれば）、Ｓ３０９に移行する。Ｓ３０９にて三方弁３を散水管９側に切り替え、Ｓ３０４に移行する。この時点で、導水管８内の水（お湯）は散水管９に導かれ、散水管９を通り、霧化ノズル１１にてミスト化され、サウナ室１００内に噴霧される。Ｓ３０４にて噴霧動作開始ルーチン２から抜けて図５のＳ２０１に進む。
【００８９】
Ｓ２０１にて「経過運転時間≧運転予定時間−第１運転時間」であるかどうかを確認する。ここで経過運転時間とは、第１の一定期間運転モードでミストサウナ装置１の動作が開始されてから経過した時間である。また、運転予定時間とは、前述したミストサウナ装置１を動作させる一定期間のことである。さらに、第１運転時間とは、前述したように金属イオンを含むミストを噴霧する最後の所定時間のことである。
【００９０】
「「経過運転時間≧運転予定時間−第１運転時間」が成立しなければ（Ｎｏであれば）、Ｓ２０１に戻り、成立するまでＳ２０１を繰り返す。経過運転時間≧運転予定時間−第１運転時間」が成立すれば（Ｙｅｓであれば）、Ｓ２０２に移行する。
【００９１】
Ｓ２０２にて、銀イオン溶出ユニット２の銀電極２２ａ、２２ｂに通電を開始する。この時点で、散水管９内の水（お湯）に銀イオンが添加されることになり、銀イオン水が生成される。この銀イオン水は散水管９を通り、霧化ノズル１１にてミスト化され、サウナ室１００内に放出される。このとき、人感センサー１３により人の存在が確認されていれば、制御部７は駆動用モーター（図示せず）を駆動させて霧化ノズル１１を人が存在する方向に向ける。このとき、複数の位置で人の存在が検知されていれば、霧化ノズル１１をスイングさせる、あるいは一定間隔毎（例えば３０秒毎）に霧化ノズル１１の方向をそれぞれの人の位置に順次変更するようにすればよい。また、このとき、人の存在が検知されていなければ、霧化ノズル１１の方向は、変更しても、変更しなくても良いし、スイングさせても良い。なお、S２０２に至るまでは、霧化ノズル１１を人の存在する方向に向けないようにしても良いし、人の存在する方向に向けておいても良い。その後、Ｓ２０３に移行する。
【００９２】
Ｓ２０３にて「経過運転時間≧運転予定時間」であるかどうかを確認する。「経過運転時間≧運転予定時間」が成立しなければ（Ｎｏであれば）、Ｓ２０３に戻り、成立するまでＳ２０３を繰り返す。「経過運転時間≧運転予定時間」が成立すれば（Ｙｅｓであれば）、Ｓ２０４に移行する。
【００９３】
Ｓ２０４にて、噴霧動作を停止し、Ｓ２０５へ進む。すなわち、Ｓ２０４にて制御部７は、給水弁４を閉じ、銀電極２２ａ、２２ｂへの通電を停止し、ヒーター６への通電を停止するなどの噴霧動作を停止させる動作を行う。Ｓ２０５にて第１の一定期間運転モードのルーチンから抜ける。
【００９４】
上述した第１の一定期間運転モードにおいて、例えば、運転予定時間＝６０分、第１運転時間＝１５分が設定されているとする。この場合、ミストサウナ装置１の動作開始から４５分が経過するまでは、銀イオンを含まないミストを噴霧し、ミストサウナ装置１の動作開始から４５分経過後に、銀イオンを含むミストが噴霧され、ミストサウナ装置１の動作開始から６０分後にミストサウナ装置１の動作が停止する。
【００９５】
このような第１の一定期間運転モードを設けることにより、長時間サウナに入りすぎて体力を消耗してしまう可能性を低減することができる。また、一定期間経過すると自動的にミストサウナ装置１のミスト噴霧動作が停止されるので、ユーザーによるミストサウナ装置１の停止忘れを防止することができる。
【００９６】
また、長時間にわたって銀イオン（抗菌性を有する金属イオン）を含むミストを噴霧する場合、初期に噴霧したミストに含まれる銀イオンは、サウナ室１００内やユーザーの体表面に付着するものの、水滴や汗などとともにサウナ室１００内から排水口や排水溝などへ流れてしまう。そのため排水溝や排水口などを抗菌できる効果があるものの、サウナ室１００内やユーザーの体表面を抗菌するという点では無駄に銀イオンを消費していた。しかし、このような第１の一定期間運転モードを設けることにより、銀イオンの消費量を抑えつつ、サウナ室１００内やユーザーの人体表面に銀イオンを効果的に付着させることができる。
【００９７】
なお、上述したが、運転予定時間や第１運転時間は固定であっても良いが、ユーザーが任意に設定できるようにしても良い。また、第１運転時間は、銀イオン水（抗菌性を有する金属イオン水）のミストがサウナ室１００内全体や人体表面に行き渡る程度の時間が必要であるが、サウナ室１００の容積やミストサウナ装置１のミスト噴霧量などさまざまな要因によりその時間は異なるので、実験的に求めることが好ましい。
【００９８】
なお、第１運転時間＝運転予定時間とすることもできる。この場合は、ミストサウナ装置１の動作開始から銀イオンミストを噴霧することになる。
【００９９】
このように、銀イオン溶出の有無を切り替えて運転を行う場合には、上記した銀イオン溶出ユニット２のような電圧の印加の有無で銀イオンの溶出／非溶出を選択できる方式であれば、使い勝手がよい。
【０１００】
本実施形態のその他の変形例として、例えば、「経過運転時間≧第１所定時間」が成立するまでは、銀イオン（抗菌性を有する金属イオン）を含まないミストを噴霧し、成立すれば、銀イオンを含むミストを噴霧するモードであってもよい。ただし、この第１所定時間は、運転予定時間よりも小さいものする。なお、第１所定時間は、固定であっても良いし、ユーザーが任意に設定できるものであっても良い。この場合、第１所定時間＝１５分であるとすると、運転予定時間が６０分の場合であっても、９０分の場合であっても、ミストサウナ装置１の動作開始から１５分が経過するまでは、銀イオンを含まないミストを噴霧し、１５分経過後に、銀イオンを含むミストが噴霧されることになる。そして、運転予定時間経過後にミストサウナ装置１の動作が停止する。
【０１０１】
あるいは、「経過運転時間≧運転予定時間×第１所定率」が成立するまでは銀イオン（抗菌性を有する金属イオン）を含まないミストを噴霧し、成立すれば、銀イオンを含むミストを噴霧するモードであってもよい。この場合、第１所定率は、０〜１までの間であるとする。なお、この第１所定率は固定であっても良いし、ユーザーが任意に設定できるものであっても良い。この場合、運転予定時間＝６０分、第１所定率＝０．２５であったとすると、ミストサウナ装置１の動作開始から１５分（６０分×０．２５＝１５分）が経過するまでは、銀イオンを含まないミストを噴霧し、１５分経過後に、銀イオンを含むミストが噴霧されることになる。そして、６０分経過後にミストサウナ装置１の動作が停止する。
【０１０２】
次に、本発明のミスト噴霧装置及びそれを備えた部屋の第３の実施の形態として、ミスト噴霧装置であるミストサウナ装置１の他のミスト噴霧開始動作について説明する。第３の実施の形態において、前述の実施の形態について説明した構成部分と同じ部分については同一符号を付し、その説明を省略する。第３の実施の形態においては、ミストサウナ装置１は、第２の一定期間運転モードを有する。第２の一定期間運転モードとは、例えば、一定期間の間のみミストサウナ装置１を動作させてミストを噴霧させるが、この一定期間のうち、噴霧を終了する前の最後の所定時間（以後、第２運転時間と呼ぶ）の間だけ、金属イオン水の金属イオン濃度を、それ以前の濃度よりも高くし、ミストを噴霧するモードである。この一定期間（例えば３０分間、６０分間など）と、所定時間である第２運転時間（最後の１５分、最後の２０分など）は固定であっても良いし、ユーザーが任意に決定できるようにしても良い。なお、第２運転時間と一定期間との関係は、「第２運転時間≦一定期間」とする。
【０１０３】
図７はミストサウナ装置の第２の一定期間運転モードのルーチンを示すフローチャートである。
【０１０４】
図７のＳ２５０から第２の一定期間運転モードのルーチンが開始され、次のステップに進む。Ｓ２５０の次ステップはＳ１００である。Ｓ１００は、上述した図４に示すフローチャートをもつルーチンであるので、ここでは、説明を省略する。S１００を抜けると、図７のＳ２５１に進む。
【０１０５】
Ｓ２５１にて「経過運転時間≧運転予定時間−第２運転時間」であるかどうかを確認する。ここで経過運転時間とは、第２の一定期間運転モードでミストサウナ装置１の動作が開始されてから経過した時間である。また、運転予定時間とは、前述したミストサウナ装置１を動作させる一定期間のことである。さらに、第２運転時間とは、前述したようにそれ以前の濃度よりも高くしたミストを噴霧する最後の所定時間のことである。
【０１０６】
「「経過運転時間≧運転予定時間−第２運転時間」が成立しなければ（Ｎｏであれば）、Ｓ２５１に戻り、成立するまでＳ２５１を繰り返す。経過運転時間≧運転予定時間−第２運転時間」が成立すれば（Ｙｅｓであれば）、Ｓ２５２に移行する。
【０１０７】
Ｓ２５２にて、銀イオン溶出ユニット２の銀電極２２ａ、２２ｂへの通電量を増加させることにより、銀イオンの溶出量を上昇させ、Ｓ２５３に移行する。この時点で、散水管９内の水（お湯）に添加される銀イオンの量が増加することになり、第２運転時間が経過する前の銀イオン水よりも濃度の高い銀イオン水が生成される。この銀イオン水は散水管９を通り、霧化ノズル１１にてミスト化され、サウナ室１００内に放出される。
【０１０８】
Ｓ２５３にて「経過運転時間≧運転予定時間」であるかどうかを確認する。「経過運転時間≧運転予定時間」が成立しなければ（Ｎｏであれば）、Ｓ２５３に戻り、成立するまでＳ２５３を繰り返す。「経過運転時間≧運転予定時間」が成立すれば（Ｙｅｓであれば）、Ｓ２５４に移行する。
【０１０９】
Ｓ２５４にて、噴霧動作を停止し、Ｓ２５５へ進む。すなわち、Ｓ２５４にて制御部７は、給水弁４を閉じ、銀電極２２ａ、２２ｂへの通電を停止し、ヒーター６への通電を停止するなどの噴霧動作を停止させる動作を行う。Ｓ２５５にて第２の一定期間運転モードのルーチンから抜ける。
【０１１０】
上述した第２の一定期間運転モードにおいて、例えば、運転予定時間＝６０分、第２運転時間＝１５分が設定されているとする。この場合、ミストサウナ装置１の動作開始から４５分が経過するまでは、例えば、濃度９０ｐｐｂの銀イオン水ミストを噴霧し、ミストサウナ装置１の動作開始から４５分経過後に、濃度６００ｐｐｂの銀イオン水ミストが噴霧され、ミストサウナ装置１の動作開始から６０分後にミストサウナ装置１の動作が停止する。
【０１１１】
このような第２の一定期間運転モードを設けることにより、上述した第１の一定期間運転モードと同様に、長時間サウナに入りすぎて体力を消耗してしまう可能性を低減することができる。また、一定期間経過すると自動的にミストサウナ装置１のミスト噴霧動作が停止されるので、ユーザーによるミストサウナ装置１の停止忘れを防止することができる。
【０１１２】
また、長時間にわたって銀イオン（抗菌性を有する金属イオン）を含むミストを噴霧する場合、初期に噴霧したミストに含まれる銀イオンは、サウナ室１００内やユーザーの体表面に付着するものの、水滴や汗などとともにサウナ室１００内から排水口や排水溝などへ流れてしまう。そのため排水溝や排水口などを抗菌できる効果があるものの、サウナ室１００内やユーザーの体表面を抗菌するという点では無駄に銀イオンを消費していた。しかし、このような第２の一定期間運転モードを設けることにより、最後に濃度の高い銀イオン水ミストを噴霧することで、銀イオンの消費量を抑えつつ、サウナ室１００内やユーザーの人体表面に銀イオンを効果的に付着させることができる。
【０１１３】
なお、上述したが、運転予定時間や第２運転時間は固定であっても良いが、ユーザーが任意に設定できるようにしても良い。また、第２運転時間は、高濃度の銀イオン水（抗菌性を有する金属イオン水）のミストがサウナ室１００内全体及び人体表面に行き渡る程度の時間が必要であるが、サウナ室１００の容積やミストサウナ装置１のミスト噴霧量などさまざまな要因によりその時間は異なるので、実験的に求めることが好ましい。また、第２運転時間中に噴霧する銀イオン水濃度と、それ以外の期間の銀イオン水濃度は、ユーザーが任意に設定できるようにしてもよい。
【０１１４】
なお、第１運転時間＝運転予定時間とすることもできる。この場合は、ミストサウナ装置１の動作開始から高濃度の銀イオンミストを噴霧することになる。
【０１１５】
このように、銀イオン溶出の濃度を切り替える運転を行う場合には、上記した銀イオン溶出ユニット２のような電圧の印加の有無で銀イオンの溶出／非溶出を選択できる方式であれば、使い勝手がよい。
【０１１６】
本実施形態のその他の変形例として、例えば、「経過運転時間≧第２所定時間」が成立するまでは、低濃度（例えば、９０ｐｐｂ）の銀イオン水（抗菌性を有する金属イオン水）ミストを噴霧し、成立すれば、高濃度（例えば、６００ｐｐｂ）の銀イオン水ミストを噴霧するモードであってもよい。ただし、この第２所定時間は、運転予定時間よりも小さいものする。なお、第２所定時間は、固定であっても良いし、ユーザーが任意に設定できるものであっても良い。この場合、第２所定時間＝１５分であるとすると、運転予定時間が６０分の場合であっても、９０分の場合であっても、ミストサウナ装置１の動作開始から１５分が経過するまでは、低濃度（例えば、９０ｐｐｂ）の銀イオン水ミストを噴霧し、１５分経過後に、高濃度（例えば、６００ｐｐｂ）の銀イオン水ミストが噴霧されることになる。そして、運転予定時間経過後にミストサウナ装置１の動作が停止する。
【０１１７】
あるいは、「経過運転時間≧運転予定時間×第２所定率」が成立するまでは、低濃度（例えば、９０ｐｐｂ）の銀イオン水（抗菌性を有する金属イオン水）ミストを噴霧し、成立すれば、高濃度（例えば、６００ｐｐｂ）の銀イオン水ミストを噴霧するモードであってもよい。この場合、第２所定率は、０〜１までの間であるとする。なお、この第２所定率は固定であっても良いし、ユーザーが任意に設定できるものであっても良い。この場合、運転予定時間＝６０分、第１所定率＝０．２５であったとすると、ミストサウナ装置１の動作開始から１５分（６０分×０．２５＝１５分）が経過するまでは、低濃度（例えば、９０ｐｐｂ）の銀イオン水ミストを噴霧し、１５分経過後に、高濃度（例えば、６００ｐｐｂ）の銀イオン水ミストが噴霧されることになる。そして、６０分経過後にミストサウナ装置１の動作が停止する。
【０１１８】
本発明のミスト噴霧装置及びそれを備えた部屋の第４の実施の形態を図８に従って説明する。図８は、本発明のミスト噴霧装置を備えた部屋の第４の実施の形態の概略斜視図である。なお、第４の実施の形態では、ミスト噴霧装置としてミストサウナ装置を、部屋としてサウナ室を例として用いている。図８に示すようにサウナ室１００の内部には、換気手段である換気扇１４と、乾燥手段である乾燥装置１５と、懸架手段である物干し棒１６とを備えている。第４の実施の形態において、前述の実施の形態について説明した構成部分と同じ部分については同一符号を付し、その説明を省略する。
【０１１９】
図９は換気扇１４の概略断面図である。換気扇１４は筐体１４ａと、フィルタ１４ｂ、プロペラファン１４ｃ、ルーバー１４ｄなどから成る。プロペラファン１４ｃは図示しないファンモーターに接続されており、回転可能となっている。換気扇１４は図８、図９に示すように、壁面１２に設置されている。ファンモーターが回転するとプロペラファン１４ｃも回転し、サウナ室１００内の空気は、フィルタ１４ｂを通り、ルーバー１４ｄから屋外に排出されるようになっている。また、ファンモーターの回転方向を逆にすることで、屋外の空気をサウナ室１００内に引き込むこともできる。
【０１２０】
図１０は乾燥装置１５の概略断面図である。乾燥装置１５は筐体１５ａと、フィルタ１５ｂと、シロッコファン１５ｃと、ルーバー１５ｄと、熱交換器１５ｅなどから成る。シロッコファン１５ｃは図示しないファンモーターに接続されており、回転可能となっている。熱交換器１５ｅはエアコンなどで使われている公知のものであり、その配管内には高温のお湯が流れている。乾燥装置１５は、図８、図１０に示すように、壁面１２（天面側の壁面）に設置されている。ファンモーターが回転するとシロッコファン１５ｃも回転し、サウナ室１００内の空気は、フィルタ１５ｂを通り、シロッコファン１５ｃを介して、熱交換器１５ｅに達する。熱交換器１５ｅにおいて、この空気は暖められ、ルーバー１５ｄが向いている方向に温風として吹き出され、再びサウナ室１００内に戻されるようになっている。なお、熱交換器１５ｅの配管にお湯を流さず、シロッコファン１５ｃのみを回転させれば、送風装置としても利用することができる。
【０１２１】
また、ミストサウナ装置１と換気扇１４、ミストサウナ装置１と乾燥装置１５は図示しない通信ケーブルにより接続されおり通信可能となっている。そして、換気扇１４と乾燥装置１５は、ミストサウナ装置１の制御部７により、運転開始及び運転停止が制御されるようになっている。
【０１２２】
続いて、ミストサウナ装置１の換気付き運転について説明する。図１１は換気付き運転モードのルーチンを示すフローチャートである。Ｓ４００から換気付き運転モードが開始され、S１００に移行する。
【０１２３】
このＳ１００は図４に示す第１噴霧動作開始ルーチンのことであるので、詳細な説明は省略する。Ｓ１００の第１噴霧動作開始ルーチンから抜けるとＳ４０１に移行する。
【０１２４】
Ｓ４０１にて「経過運転時間≧ミスト噴霧運転時間」であるかどうかを確認する。ここで経過運転時間とは、換気付き運転モードでミストサウナ装置１の動作が開始されてから経過した時間である。また、ミスト噴霧運転時間とは、ミストサウナ装置１がミスト噴霧動作を行う予定時間のことである。このミスト噴霧運転時間は、固定であってもよいし、ユーザーが任意に設定できるようにしてもよい。この段階で、銀イオン水ミストをサウナ室１００内に噴霧することで、人体表面やサウナ室１００内の壁面や排水溝や排水口や、サウナ室１００内に置かれている洗面器などに銀イオン水を付着させる。
【０１２５】
「経過運転時間≧ミスト噴霧運転時間」が成立しなければ（Ｎｏであれば）、Ｓ４０１に戻り、成立するまでＳ４０１を繰り返す。「経過運転時間≧ミスト噴霧運転時間」が成立すれば（Ｙｅｓであれば）、Ｓ４０２に移行する。
【０１２６】
Ｓ４０２にて、噴霧動作を停止し、Ｓ４０３へ進む。すなわち、Ｓ４０２にて、給水弁４を閉じ、銀電極２２ａ、２２ｂへの通電を停止し、ヒーター６への通電を停止するなどの噴霧動作を停止させる動作を行う。
【０１２７】
Ｓ４０３にて、換気扇１４の運転を開始する。すなわち、ファンモーター（図示せず）への通電が行われ、プロペラファン１４ｃを回転させて、サウナ室１００内の空気や残留しているミストを屋外へ排出する。これにより、サウナ室１００内にいる人の人体表面に付着している銀イオン水を乾燥させることができる。次にＳ４０４へ移行する。
【０１２８】
Ｓ４０４にて「換気経過運転時間≧換気動作運転時間」であるかどうかを確認する。ここで換気経過運転時間とは、換気付き運転モードで換気扇１４の換気動作が開始されてから経過した時間である。また、換気動作運転時間とは、換気扇１４が換気を行う予定時間のことである。この換気動作運転時間は、固定であってもよいし、ユーザーが任意に設定できるようにしてもよい。
【０１２９】
「換気経過運転時間≧換気動作運転時間」が成立しなければ（Ｎｏであれば）、Ｓ４０４に戻り、成立するまでＳ４０４を繰り返す。「換気経過運転時間≧換気動作運転時間」が成立すれば（Ｙｅｓであれば）、Ｓ４０５に移行する。
【０１３０】
Ｓ４０５にて換気扇１４の運転を停止し、Ｓ４０６に移行する。Ｓ４０６にて換気付き運転モードのルーチンから抜ける。
【０１３１】
上述した換気付き運転モードにおいて、例えば、ミスト噴霧運転時間＝３０分、換気動作運転時間＝１８０分が設定されているとする。この場合、ミストサウナ装置１は動作開始から３０分間は、銀イオンを含むミストを噴霧し、３０分経過後に、ミストの噴霧を停止する。続いて換気扇１４を回して換気を開始する。このとき、換気経過運転時間のカウントが始まる。そして、換気経過運転時間が１８０分を経過するまでは、換気扇１４を回して換気を続け、換気経過運転時間が１８０分を経過すると、換気扇１４が停止する。
【０１３２】
上述したような換気付き運転モードを行なうことで、抗菌性を有する金属イオンである銀イオンを含むミストがサウナ室１００内に噴霧されるとともに、換気により人体表面に付着した銀イオン水やサウナ室１００内に行き渡った銀イオン水が乾燥し易くなる。人体表面やサウナ室１００内の壁面１２などに付着した銀イオン水が乾燥した場合、銀イオン（抗菌性を有する金属イオン）は次亜塩素酸イオンなどのように揮発することはなく、銀化合物（金属化合物）として残留する。このような形で残留した銀化合物（金属化合物）は、微小であるため溶解しやすく、水分（例えば、汗や結露）が触れた時に銀イオン（金属イオン）となって抗菌効果を発揮する。
【０１３３】
このようにして、人体表面やサウナ室１００内を抗菌処理することができる。また、換気運転によって、完全にサウナ室１００内を乾燥させることができなかった場合にも、銀イオンミストは有効である。実際には、換気運転を実施しても、サウナ室１００内には、洗面器や椅子などがおかれていることが多く、その陰になる部分や下になる部分など、乾燥させるのが難しい部分がある。また、排水口などには常に水がたまっており、乾燥させるのがきわめて困難な部分もある。それらの部分に、ヌメリや臭気やカビが発生してユーザーに不快感を与えることがある。
【０１３４】
紫外線ランプを利用した殺菌・抗菌方法の場合、洗面器や椅子などの陰となる部分や排水口などの水が常に溜まっている部分などに対して、紫外線を照射することが難しく効果的でない。しかし、銀イオンミストの場合、ミストの形態で陰となる部分に回り込んだり、銀イオン水として排水口や排水溝に流れ込んだりするので、殺菌・抗菌効果を得やすくなる。また、銀イオンミスト中の水が一部乾燥することにより、ミスト中の銀イオン濃度が高くなる。銀イオン濃度が高くなると、前述した表２にあるように、抗菌効果が高まるので、より効果的にヌメリや臭気やカビを防ぐことができる。このように、乾燥前や換気前に、銀イオンミスト（金属イオンミスト）を噴霧することで、サウナ室１００内の抗菌処理を行い、ヌメリなどを防ぐことができる。
【０１３５】
なお、上述したが、ミスト噴霧運転時間や換気動作運転時間は固定であっても良いが、ユーザーが任意に設定できるようにしても良い。また、ミスト噴霧運転時間は、銀イオン（抗菌性を有する金属イオン）が人体表面やサウナ室１００内全体に行き渡る程度の時間が必要であるが、サウナ室１００の内容積やミストの噴霧量などさまざまな要因によりその時間は異なるので、実験的に求めることが好ましい。
【０１３６】
本実施形態のその他の変形例として、換気扇１４に替えて乾燥装置１５により、人体表面やサウナ室１００内の乾燥を行ってもよい。この場合、図１２に示す乾燥付き運転モードのルーチンを示すフローチャートに従って乾燥が行われる。
【０１３７】
Ｓ５００からＳ５０２までは、図１１に示す換気付き運転モードのルーチンを示すフローチャートのＳ４００からＳ４０２と同じ動作であるため、説明を省略する。
【０１３８】
Ｓ５０３にて、乾燥装置１５の運転を開始する。すなわち、ファンモーター（図示せず）への通電が行われ、シロッコファン１５ｃを回転させて、サウナ室１００内の空気を吸い込み、熱交換器１５ｅにて温度を上げたあと、再びサウナ室１００内に温風として吹き出す。これにより、サウナ室１００内にいる人の人体表面に付着している銀イオン水を乾燥させることができる。次にＳ５０４へ移行する。
【０１３９】
Ｓ５０４にて「乾燥経過運転時間≧乾燥動作運転時間」であるかどうかを確認する。ここで乾燥経過運転時間とは、乾燥付き運転モードで乾燥装置１５の乾燥動作が開始されてから経過した時間である。また、乾燥動作運転時間とは、乾燥装置１５が乾燥動作を行う予定時間のことである。この乾燥動作運転時間は、固定であってもよいし、ユーザーが任意に設定できるようにしてもよい。
【０１４０】
「乾燥経過運転時間≧乾燥動作運転時間」が成立しなければ（Ｎｏであれば）、Ｓ５０４に戻り、成立するまでＳ５０４を繰り返す。「乾燥経過運転時間≧乾燥動作運転時間」が成立すれば（Ｙｅｓであれば）、Ｓ５０５に移行する。
【０１４１】
Ｓ５０５にて乾燥装置１５の運転を停止し、Ｓ５０６に移行する。Ｓ５０６にて乾燥付き運転モードのルーチンから抜ける。
【０１４２】
上述した乾燥付き運転モードにおいて、例えば、ミスト噴霧運転時間＝３０分、乾燥動作運転時間＝６０分が設定されているとする。この場合、ミストサウナ装置１は動作開始から３０分間は、銀イオンを含むミストを噴霧し、３０分経過後に、ミストの噴霧を停止する。続いて乾燥装置１５を動作させて乾燥を開始する。このとき、乾燥経過運転時間のカウントが始まる。そして、乾燥経過運転時間が６０分を経過するまでは、乾燥装置１５を動作させて乾燥を続け、乾燥経過運転時間が６０分を経過すると、乾燥装置１５が停止する。
【０１４３】
上述したような乾燥付き運転モードを行なうことで、抗菌性を有する金属イオンである銀イオンを含むミストがサウナ室１００内に噴霧されるとともに、乾燥装置１５から噴出される温風により人体表面に付着した銀イオン水やサウナ室１００内に行き渡った銀イオン水が乾燥し易くなる。人体表面やサウナ室１００内の壁面１２などに付着した銀イオン水が乾燥した場合、銀イオン（抗菌性を有する金属イオン）は次亜塩素酸イオンなどのように揮発することはなく、銀化合物（金属化合物）として残留する。このような形で残留した銀化合物（金属化合物）は、微小であるため溶解しやすく、水分（例えば、汗や結露）が触れた時に銀イオン（金属イオン）となって抗菌効果を発揮する。
【０１４４】
また、温風によって、サウナ室１００内の温度を上げて乾燥運転を行った場合には、乾燥運転終了後にサウナ室１００内の温度が低下してサウナ室１００内の壁面１２などに結露が生じることがあるが、この結露により、再び銀イオンとなり抗菌効果が発揮されることになる。
【０１４５】
また、サウナ室１００は、物干し棒１６を備えているので、この物干し棒１６に洗濯後の衣類などを掛けて乾燥装置１５を動作させることで、サウナ室１００を乾燥室としても使用することが可能となる。
【０１４６】
さらに、物干し棒１６に衣類（肌着やシャツなど）やタオルなどを掛けた状態で、ミストサウナ装置１から抗菌性を有する金属イオンである銀イオンを含むミストを噴霧する。そうすることで、衣類などに銀イオンミストを付着させる。その後、換気扇１４による換気や、乾燥装置１５による乾燥を行なうことで、衣類などに付着した銀イオン水を乾燥させる。
【０１４７】
洗濯後の衣類の乾燥に時間がかかった場合、菌が繁殖し、不快な臭気を発することがあるが、付着させた銀イオンの抗菌効果により、臭気の発生を防ぐことができる。また、衣類に付着した銀イオンミストが乾燥した場合、銀イオンは次亜塩素酸イオンなどのように揮発することはなく、銀化合物として残留する。このような形で残留した銀化合物は、微小であるため溶解しやすく、水分（例えば、汗や雨滴など）が触れた時に銀イオンとなって抗菌効果を発揮する。
【０１４８】
なお、衣類以外にもマットや、スーツなど、洗濯を行いにくいものに対しても銀イオンミストにより、抗菌処理を行うことができる。
【０１４９】
また、上記実施形態においては、換気手段である換気扇１４と、乾燥手段である乾燥装置１５とを、別々に動作させるモードであったが、換気扇１４と乾燥装置１５とを併用するモードであってもよい。例えば、ミストサウナ装置１の動作終了後、換気扇１４にて、サウナ室１００に滞留しているミストや水蒸気の大部分を屋外に排出した後、乾燥装置１５により乾燥を行うようにしても良い。
【０１５０】
また、乾燥手段は、上述した温水を利用して温風を吹き出す乾燥装置１５に替えて、エアコンを使用してもよい。エアコンを用いた場合は、除湿、暖房を行うことができるので、より効率的に人体表面や部屋、洗濯物などの乾燥を行うことが可能となる。
【０１５１】
また、上記実施形態においては、換気手段と乾燥手段は別体に設けられているが、一体であってもよい。さらにミスト噴霧装置と乾燥手段を一体化し、乾燥手段による温風も人体が存在する方向を検知し、人体が存在する方向に向かって吹出す構造としてもよい。
【０１５２】
以上の実施の形態は一例に過ぎず、ミスト噴霧装置の具体的な構成、銀イオン溶出ユニットや金属電極（銀電極）の具体的な形状や構成、取り付け位置などについても、すべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０１５３】
【図１】本発明の第１の実施の形態に係るミスト噴霧装置を備えた部屋の概略斜視図である。
【図２】本発明の第１の実施の形態に係るミストサウナ装置の概略断面図である。
【図３】本発明の第１の実施の形態に係る銀イオン溶出ユニットの概略断面図であり、（A）は水平概略断面図、（B）は垂直概略断面図である。
【図４】本発明の第１の実施の形態に係るミストサウナ装置の第１噴霧動作開始ルーチンを示すフローチャートである。
【図５】本発明の第２の実施の形態に係るミストサウナ装置の第１の一定期間運転モードのルーチンを示すフローチャートである。
【図６】本発明の第２の実施の形態に係るミストサウナ装置の第２噴霧動作開始ルーチンを示すフローチャートである。
【図７】本発明の第３の実施の形態に係るミストサウナ装置の第２の一定期間運転モードのルーチンを示すフローチャートである。
【図８】本発明の第４の実施の形態に係るミスト噴霧装置を備えた部屋の概略斜視図である。
【図９】本発明の第４の実施の形態に係る換気扇の概略断面図である。
【図１０】本発明の第４の実施の形態に係る乾燥装置の概略断面図である。
【図１１】本発明の第４の実施の形態に係る換気付き運転モードのルーチンを示すフローチャートである。
【図１２】本発明の第４の実施の形態に係る乾燥付き運転モードのルーチンを示すフローチャートである。
【符号の説明】
【０１５４】
１      ミストサウナ装置
１ａ    筐体
２      銀イオン溶出ユニット
３      三方弁
４      給水弁
５      温度センサー
６      ヒーター
７      制御部
８      導水管
９      散水管
１０    排水管
１１    霧化ノズル
１２    壁面
１３    人感センサー
１４    換気扇
１４ａ  筐体
１４ｂ  フィルタ
１４ｃ  プロペラファン
１４ｄ  ルーバー
１５    乾燥装置
１５ａ  筐体
１５ｂ  フィルタ
１５ｃ  シロッコファン
１５ｄ  ルーバー
１５ｅ  熱交換器
１６    物干し棒
２１    ケース
２２ａ  銀電極
２２ｂ  銀電極
２３ａ  接続端子
２３ｂ  接続端子
２４    流入口
２５    流出口
１００  サウナ室
１０１  腰掛部
【図１】
0004508988.tif 000006
【図２】
0004508988.tif 000007
【図３】
0004508988.tif 000008
【図４】
0004508988.tif 000009
【図５】
0004508988.tif 000010
【図６】
0004508988.tif 000011
【図７】
0004508988.tif 000012
【図８】
0004508988.tif 000013
【図９】
0004508988.tif 000014
【図１０】
0004508988.tif 000015
【図１１】
0004508988.tif 000016
【図１２】
0004508988.tif 000017